(57)【特許請求の範囲】
【請求項１】
使用者が像を観察することのできる観察光学系と、
前記観察光学系において光軸方向に移動する視度補正レンズと、
それぞれが異なる視度に設定されている複数の視度指標を含み、前記複数の視度指標が一体的に前記観察光学系の光軸方向に移動する指標ユニットと、
前記使用者が前記複数の視度指標の中から１つを選択する選択手段と、
前記選択手段によって選択された視度指標に対応する位置に前記視度補正レンズおよび前記指標ユニットを移動させる移動手段とを有することを特徴とする視度補正装置。
【請求項２】
前記選択手段は前記使用者が手動操作部材を手動操作することで、前記複数の視度指標の中から１つを選択するとともに、前記手動操作部材の操作に連動して前記移動手段は選択された視度指標に対応する位置に前記視度補正レンズおよび前記指標ユニットを移動させることを特徴とする請求項１記載の視度補正装置。
【請求項３】
前記移動手段は前記手動操作部材と機械的に結合され、前記手動操作部材を操作することで、前記視度補正レンズおよび前記指標ユニットを移動することを特徴とする請求項２記載の視度補正装置。
【請求項４】
使用者が像を観察することのできる観察光学系と、
前記観察光学系において光軸方向に移動する視度補正レンズと、
それぞれが異なる視度に設定されている複数の視度指標を含み、前記複数の視度指標が一体的に前記観察光学系の光軸方向に移動する指標ユニットと、
前記使用者の視線を検出する視線検出手段と、
前記視線検出手段の検出結果に基づいて、前記複数の視度指標の中から１つを選択する選択手段と、
前記選択手段によって選択された視度指標に対応する位置に前記視度補正レンズおよび前記指標ユニットを移動させる移動手段とを有することを特徴とする視度補正装置。
【請求項５】
前記視度補正装置は光路分割手段を有し、前記指標ユニットはほぼ前記視度補正レンズの焦点面上に配置され、前記複数の指標はそれぞれ光軸方向に所定の視度に対応する分だけにずれた位置に配置されていることを特徴とする請求項１、２、３または４記載の視度補正装置。
【請求項６】
前記観察光学系はプリズムを有し、前記複数の視度指標は前記プリズムの入射面または射出面に設けられることを特徴とする請求項１、２、３または４記載の視度補正装置。
【請求項７】
使用者が像を観察することのできる観察光学系と、
前記観察光学系において光軸方向に移動する視度補正レンズと、
それぞれが異なる視度に設定されている複数の視度指標を含み、前記複数の視度指標が一体的に前記観察光学系の光軸方向に移動する指標ユニットと、
前記使用者が前記複数の視度指標の中から１つを選択する選択手段と、
前記選択手段によって選択された視度指標に対応する位置に前記視度補正レンズおよび前記指標ユニットを移動させる移動手段とを有する視度補正装置を有する機器。
【請求項８】
使用者が像を観察することのできる観察光学系と、
前記観察光学系において光軸方向に移動する視度補正レンズと、
それぞれが異なる視度に設定されている複数の視度指標を含み、前記複数の視度指標が一体的に前記観察光学系の光軸方向に移動する指標ユニットと、
前記使用者の視線を検出する視線検出手段と、
前記視線検出手段の検出結果に基づいて、前記複数の視度指標の中から１つを選択する選択手段と、
前記選択手段によって選択された視度指標に対応する位置に前記視度補正レンズおよび前記指標ユニットを移動させる移動手段とを有する視度補正装置を有する機器。
【請求項９】
前記視度補正装置は光路分割手段を有し、指標ユニットはほぼ前記視度補正レンズの焦点面上に配置され、前記複数の指標はそれぞれ光軸方向に所定の視度に対応する分だけにずれた位置に配置されていることを特徴とする請求項７または８記載の視度補正装置を有する機器。
【請求項１０】
前記観察光学系はプリズムを有し、前記複数の視度指標は前記プリズムの入射面または射出面に設けられることを特徴とする請求項７または８記載の視度補正装置を有する機器。
【請求項１１】
前記視度補正装置を有する機器は複数の動作モードを有するとともに、前記複数の視度指標の表示を制御する表示制御手段を有し、前記表示制御手段は所定の動作モードに設定されているときのみ、前記複数の視度指標を表示することを特徴とする請求項７から１０の何れかに記載の視度補正装置を有する機器。
【発明の詳細な説明】
【０００１】
【発明の属する技術分野】
本発明は例えばファインダー光学系などの観察光学系において視度を補正できる機器に関するものである。
【０００２】
【従来の技術】
従来、使用者の視度を検出して自動的に視度補正を行うカメラが提案されている。
【０００３】
例えば、特開平７−１８１５６２号公報には撮影者の目の特徴抽出を行い、この検出結果から、撮影者の年齢を推定し、この値に基づいて撮影者の目の特性に応じた最適な視度に自動的に調整することが開示されている。
【０００４】
また、特開昭６３−２０６７３１号公報には、撮影者の眼屈折力を検出して、この値に基づき、自動的に視度補正を行うものが開示されている。
【０００５】
【発明が解決しようとする課題】
しかしながら、上記前者の従来例では、人間の眼の生理的特性である年齢による目の調整能力の変化に着目し、この調整能力の変化に対する補正を行うことを目的としていた為、撮影者の近視、遠視といった個々の視度特性はメガネコンタクトレンズ等で予め補正された状態を想定としていた。したがって、この撮影者固有の視度特性は、メガネコンタクト等による補正や、ファインダー光学系などに設けられた視度補正光学系によって撮影者の視度特性に合わせて補正光学系を移動させるなどの補正が必要であった。
【０００６】
また、上記後者の従来例では、眼屈折力計をカメラ内に内蔵しなければならず、高価であるとともにカメラの大型化を招いてしまう。また、検出に時間がかかり、カメラと撮影者眼との位置を正確に固定しなくてはならないなどカメラのような携帯性の高い機器に内蔵することは実際には困難であり、非現実的であった。
【０００７】
また、上記従来例に開示される撮影者の視度検出方法はすべて装置によって調べられる他覚的検査である。一般に視覚機能すなわち物を見るという感覚は、眼の光学作用をする組織や網膜（視細胞）とこれにつづく視神経、最後には脳の認識力などの総合能力である。この為、単に眼の光学特性だけで判断する他覚的検査方法では、必ずしも撮影者の視度を正確に検出することができず誤差が生じやすい。
【０００８】
上述した課題に鑑み、本願発明では、視度の検出を自覚的検査値、すなわち、撮影者の意志に基づいた値を入力することを前提にするとともに、その入力動作に視線を用いることで操作性を向上させることを目的とする。
【０００９】
【課題を解決するための手段】
上記のような課題を解決するために、本発明の視度補正装置は、使用者が像を観察することのできる観察光学系と、前記観察光学系において光軸方向に移動する視度補正レンズと、それぞれが異なる視度に設定されている複数の視度指標を含み、前記複数の視度指標が一体的に前記観察光学系の光軸方向に移動する指標ユニットと、前記使用者が前記複数の視度指標の中から１つを選択する選択手段と、前記選択手段によって選択された視度指標に対応する位置に前記視度補正レンズおよび前記指標ユニットを移動させる移動手段とを有することを特徴としている。
【００１０】
また、本発明の視度補正装置は、使用者が像を観察することのできる観察光学系と、前記観察光学系において光軸方向に移動する視度補正レンズと、それぞれが異なる視度に設定されている複数の視度指標を含み、前記複数の視度指標が一体的に前記観察光学系の光軸方向に移動する指標ユニットと、前記使用者の視線を検出する視線検出手段と、前記視線検出手段の検出結果に基づいて、前記複数の視度指標の中から１つを選択する選択手段と、前記選択手段によって選択された視度指標に対応する位置に前記視度補正レンズおよび前記指標ユニットを移動させる移動手段とを有することを特徴としている。
【００１１】
【発明の実施の形態】
図１は、本発明の第１の実施形態である視度補正装置を備えたカメラの背面からの斜視図である。
【００１２】
同図において、１はカメラ本体、２は撮影レンズ鏡筒部、３はファインダー接眼部、４はファインダーの視度をマニュアルで操作可能なスライド部材、５はファインダー光学系の焦点面近傍に光を導く採光窓である。
【００１３】
図２は、カメラ本体内に内蔵されたファインダー光学系の斜視図、図３はファインダー光学系の平面図、図４はファインダー光学系の側面図である。
【００１４】
同図において、６は負のパワーのレンズで構成される対物レンズ１群、７は正のパワーのレンズで構成される対物レンズ２群であり、対物レンズ７が変倍レンズとして作用し、対物レンズ６がこの補正系となり、撮影レンズのズーム操作に連動してファインダー光学系の変倍動作が行われる。８はフィールドレンズであり、平面側がファインダー光学系の結像面となっている。９ａ，９ｂ，９ｃは上記ファインダー光学系の焦点面近傍に配置された指示表示であり、図１に示した採光窓５からの光の光路をスライド部材４の操作に連動して切換えによっていずれか１つを選択的に表示できるように構成されている。１０はファインダー像を反転させる為の３面反射のポロプリズム、１１はハーフミラーである。１２は接眼レンズであり、この光軸方向の移動によって撮影者の視度の補正が可能である。１３はハーフミラー１１の後方、ほぼ接眼レンズの焦点面上に配置された視度検出の為の指標群であり、図示のようにそれぞれの指標は光軸方向にずらして配置する。各指標の位置はファインダー上では観察像の外側にくるように配置されている。１４は指標群１３に対応してその後部に配置された照明部材であり、各指標１３ａ〜１３ｃに対応してそれぞれ１４ａ〜１４ｃの各照明素子（ＬＥＤ）が配置され、指標群１３がファインダー上で確認しやすいように構成されている。スライド部材４を操作すると接眼レンズ１２と、指標群１３と、照明部材１４とが所定の間隔を保ちつつ一体的に光軸方向に移動するように構成されており、撮影者は３つの視度指標のうちどれか１つがよく見える位置までスライド部材４を動かすことで簡単に視度調節を行うことができる。
【００１５】
図５〜図９は、上図のように構成されたファインダー光学系の実際の視野内の表示を示したものである。
【００１６】
同図において１５は被写体像を観察可能な範囲を示す視野枠、１６はＡＦ測距範囲（焦点検出範囲）を示す測距点表示、１７は近距離撮影時の画角を示すパララックス補正表示である。
【００１７】
上記構成において、撮影者の視度が正視の場合、遠視の場合、近視の場合の３通りの場合についてその動作を説明する。
【００１８】
まず、正視の撮影者がファインダーを見たときの状態を示したのが図５である。
【００１９】
視度検出用の各視度指標は十字形に形成される。各視度指標は左側の視度指標１３ａが＋１ディオプター、中央の視度指標１３ｂが−１ディオプター、右側の視度指標１３ｃが−３ディオプターとなるように各位置関係が設定されている。
【００２０】
図５に示すように正視の人の視度の合う指標は、中央の指標であり、左右の指標は図示のようにボケて見える。この場合は図１に示す視度補正スライド部材４は中央の位置にある。
【００２１】
スライド部材４が中央位置にあるときには中央の指標９ｂに採光窓５からの光が導かれて表示されている。
【００２２】
この場合は、視度の合った視度指標１３ｂと指示表示９ｂの位置が一致している為ファインダー内の各表示部、すなわち、視野枠１５、測距点表示１６、パラ補正表示１７はそれぞれ視度指標が合い見やすい状態となっている。
【００２３】
次に、図６を用いて、遠視の撮影者がファインダーを覗いた場合について説明する。まず、このような遠視の人がファインダー下部に表示される複数の視度指標を見た場合、左側の視度指標だけがはっきり見え、それ以外の視度指標はボケてしまいはっきり見えない状態となる（図中、このような状態は複数の重複した線で表わしボケた状態を示している、このぼけ量の大きい場合ほど重複する線の本数を増やして示している。）。この場合の視度の補正動作としては、図１に示す視度補正スライド部材４を左側にスライドさせることによって行われる。このスライド動作に連動して、不図示の機構部材により接眼レンズ１２と指標群１３と、照明部材１４がファインダー焦点面に対し後方、すなわち接眼レンズが眼に近づく方向に所定量移動する。そして、スライド部材４の操作に連動して左側の指標に対応する指示表示９ａのみが表示されるように光路の切り換えを行う。このようにして、遠視の人が視度補正が完了した状態を示したのが図７である。図示のように遠視の人用の視度指標１３ａとこれに対応した指示表示９ａを合わせるようにスライド部材４を操作することによって、ファインダー内の各表示部、すなわち、視野枠１５、測距点表示１６、およびパララックス補正表示１７は、それぞれ視度の合った、見やすい状態に補正される。
【００２４】
次に近視の人が、ファインダーの視度合わせをする状態を図８、図９を用いて説明する。
【００２５】
図８は遠視の撮影者が使用した直後（図７の状態）、今度は近視の人がファインダーを覗いた状態である。図示のように、指標群１３の中で最もはっきり見えるのは右側の視度指標１３ｃである。
【００２６】
この状態から視度調整を行う為には、スライド部材４を操作して視度指標１３ｃの位置に対応する指示表示９ｃを表示させると、適正な視度補正動作が完了する。つまり、図１に示すスライド部材４を今度は右側に移動することによって接眼レンズ１２、及びこれと一体的に移動する指標群１３、照明装置１４が前側（撮影者の目から離れる方向）に移動すると共に、採光窓５からの光を指示表示９ｃに導くので図９に示す状態、すなわち近視の撮影者に対して視度を合わせることができる。
【００２７】
以上説明したように、本実施例の構成では、視度補正を行う接眼レンズと、視度の異なる視度指標が一体的に移動する構成をとっている為、視度補正を行っている間も各視度指標の見えかたは変化せず、視度調整の最初から最後まで、一定の視度指標の表示を行うことが可能である点ですぐれている。また、ハーフミラー１１を使って視度表示部とファインダー表示部を別光路から合成したことも本実施形態の大きな特徴である。
【００２８】
図１０は、本発明の第２の実施形態である視度補正装置を備えたカメラの背面からの斜視図である。
【００２９】
同図において２１はカメラ本体、２２は撮影レンズ鏡筒部、２３はファインダー接眼部、２４はカメラの各種モードを設定するモード切換えダイヤル、２５はカメラ本体上に形成された選択マークであり、モード切換えダイヤル２４を回転してダイヤル２４に描かれたそれぞれのモードを表わす絵や文字をこのマークと一致させることによってカメラは所定モードに切換えることができる。２６はファインダー接眼部２３近傍に設けた一対の赤外発光ダイオードであり、視線検出用の眼球照明光源として利用する。
【００３０】
図１１は、カメラ本体内に内蔵されたファインダー光学系の斜視図、図１２は、同平面図、図１３は同側面図である。
【００３１】
本実施形態のファインダー光学系の構成のうち、第１の実施形態と同一の機能を果たす部材については同一番号で示し、説明を省略する。図中２７はハーフミラー１１の後方に配置された結像レンズであり、この後方に配置された視線検出用エリアセンサー２８に撮影者の眼球画像を結ぶように配置されている。
【００３２】
２９ａ，２９ｂ，２９ｃは、ファインダー光学系の焦点面近傍に配置された選択可能な発光素子であり、選択された視度指標に対応した位置の発光素子を点滅または点灯させることができる。
【００３３】
図１４は本第２の実施形態の視度補正装置を備えたカメラのブロック図であり、３０はカメラの使用者である撮影者の眼球、３１はファインダー光学系の接眼レンズ、３２は接眼レンズ３１の位置を検出する為のレンズ位置検出回路、３３は接眼レンズ３１を光軸方向に移動させるモータ３３ａを駆動制御するモータ制御回路で、レンズ位置検出回路３２または後述のＣＰＵ３８からの情報でモータ３３ｃを制御する。３４はエリアセンサ２８で受光した撮影者の眼球像に基づいて撮影者の視線の方向を検出する為の視線検出回路、３５は撮影者の眼球を照明する赤外発光ダイオードの制御回路、３６は視度の異なる複数の視度指標１３ａ〜１３ｃを表示、制御する視度指標表示回路、３７は選択された視度指標を指示する表示を行う指示表示装置。３８はカメラ内に設けたＣＰＵであり、カメラの撮影動作の制御を始め上記の各回路を集中制御する。３９は、モード切換ダイヤル２４の位置によって、ファインダー視度補正モードを含む数種類の動作モードを選択して切り換えることができるモード切換回路である。
【００３４】
上記構成の本第２の実施形態の動作をフローチャート図１５を用いて順を追って説明する。
【００３５】
本実施形態の特徴は、撮影者の視線を検出することで視度補正に関する情報をカメラに入力することが特徴であり、視線検出と組み合わせることによって、従来の方法では考えられなかった簡単で合理的な視度合わせが可能となっている。
【００３６】
本実施形態のカメラを使用する前に、ファインダーの視度を撮影者の視度と一致させることが必要となる。そこで撮影者はまず、図１０に示すモードダイヤル２４を回動させ、視度補正用のモードを表す文字（図中ＣＡＬ）をカメラ本体の選択マーク２５と一致させることによって視度補正モードが設定される（＃１０）。視度補正モードに入った場合には、まず、視度指標表示回路３６を駆動し、視度の異なる複数の視度指標１３ａ〜１３ｃをファインダー内に表示させる。本実施形態の構成では、ハーフミラー１１の後方に配置した視度指標１３ａ〜１３ｃの後方の照明部材１４ａ〜１４ｃを点灯させることによって、ファインダー上に視度指標１３ａ〜１３ｃを表示させる（＃２０）。
【００３７】
次に、撮影者は視度指標１３ａ〜１３ｃのうち、最もよく見える視度指標を注視する。このとき、撮影者の眼球を赤外発光ダイオード２６で照明するとともに、撮影者の眼球画像をエリアセンサ２６で撮像し、この眼球画像を視線検出回路３４にて演算処理することで撮影者の視線の方向が検出される（＃３０）。
【００３８】
次に、視線検出結果に基づいて、ファインダー焦点面近傍に配置された発光素子２９ａ〜２９ｃのうち、いずれか１つの発光素子が点滅するか、または視度指標の背後に置かれた照明部材１４ａ〜１４ｃのうちいずれか１つの照明の色を変更し、視線検出によって選択された視度指標を撮影者に知らせる（＃４０）。
【００３９】
この最もよく見える（撮影者の視度に合った）視標をそのまま見続け、所定時間経過した場合には、実際の視度補正動作のステップに進む、一方、視線の検出ができない場合や、撮影者が同一の視度指標を所定時間見続けなかった場合には、＃３０に戻り、再度視度指標を選び直す（＃５０）。
【００４０】
次に、最も視度の合った指標が選択されると、接眼レンズ３１の現在位置をレンズ位置検出回路３２で検出し、撮影者が選択した視度指標に対応するレンズ位置であるかどうかをＣＰＵ３８で比較演算する。そして、このレンズ位置が一致している場合には、そのまま接眼レンズ３１を動かさない（＃７０）。撮影者が選択した視度指標と接眼レンズ３１の位置とが一致しない場合は、ＣＰＵ３８からの情報に基づいてモータ制御回路３３を通じてモータ３３ａを駆動し、選択した視度指標と接眼レンズ３１の位置とが一致するまで接眼レンズ３１を光軸方向に移動させる（＃８０）。
【００４１】
以上の動作で視度補正動作が完了する。そこで、モードダイアル２４を視度補正モード以外のモードに切り換え、実際の写真撮影に移る（＃９０）。視度補正モード以外のモードが選択されているときには、視度指標１３ａ〜１３ｃを表示しない。具体的には、視度指標１３ａ〜１３ｃの後方に配置した照明部材１４ａ〜１４ｃを消灯する（＃１００）。
【００４２】
以上のステップで視度補正の操作を手動操作なしに行うことができる。しかも、最もよく見える（視度の合っている）指標を見るという動作そのものが、入力動作となるので極めて簡単に視度調節動作を行うことができ、また、初心者にも失敗なくごく自然に行うことができるという利点がある。
【００４３】
上記構成の視度補正装置は、視度補正モードに入った場合に、その都度視度の選択を行わせるように構成しているが、上記構成で一度撮影者の視度を検出し、撮影者の視度補正値を記憶するように構成することも可能である。この場合は、ファインダー内に設けた所定の指標を注視することによって、記憶された視度補正値を読み出せるように構成方法が考えられる。
【００４４】
また、視線検出動作の際に得た撮影者の眼球画像の情報も同時に記憶し、この眼球画像情報と一致する眼球が検出された場合には、記憶している視度補正値に基づいて自動的に視度補正を行ってしまうという構成が考えられる。この時の撮影者の眼球画像の特徴抽出としては、プルキンエ像の特徴や瞳孔径の大きさ等があり、これらの複数の情報から撮影者を特定することができる。
【００４５】
図１６は本発明の第３の実施形態である視度補正装置を備えたカメラのファインダー平面図（断面図）である。
【００４６】
同図において４１は接眼レンズ、４２はダハプリズム、４２′は部分的にダハプリズム４２に接合した貼り合わせレンズであり、境界面４２ａは赤外光のみを透過させ、可視光を透過するダイクロ面となっている。４３はプリズム、４４は凸のパワーを持つ対物レンズ、４５はファインダー焦点面に配置されたマスクであり、ファインダーの視野枠及び、開口部４５ａが形成されている。４６はマスク４５の開口部４５ａの前を移動可能な遮光部材である。
【００４７】
４７はプリズム４２′の後方に配置した視線検出用の結像レンズ、４８は視線検出用エリアセンサーである。４９はプリズム４２のファインダー視野枠外に一体的に形成された視度指標であり、視度が異なるように中央の形成された指標を中心に奥まった位置と突出した位置の３つの指標が形成されている。
【００４８】
図中Ｅは撮影者の眼球であり、２６は撮影者の眼球を照明する赤外発光ダイオードである。
【００４９】
同図を用いて、視度補正の動作を説明する。
【００５０】
まず、撮影者がファインダーを覗くと接眼レンズ近傍に配置した赤外発光ダイオード２６が撮影者眼を照明し、そのときの眼球画像をエリアセンサ４８で受光して、撮影者の視線を検出可能となる。本実施形態では、ダハプリズム４２と接合した貼り合わせレンズ４２′の境界面４２ａにダイクロ面を形成している為、赤外光はこのダイクロ面を透過して視線検出センサー４８側に導かれ、可視光は反射してファインダー光学系の方向に導かれる。
【００５１】
次に、カメラが視度補正モードにある場合には、不図示の駆動手段によって遮光部材４６が移動し、図１６に図示のように焦点面上のマスク４５の位置から退避した状態に位置する。この状態でファインダーの視野枠の近傍に配置された視度指標４９が視認可能となる。図１６に図示のように、プリズム４２と一体的に形成されたそれぞれの視度指標は光軸方向に対し異なる位置に設けられているので、それぞれの視度指標は視度の異なった状態で表示されている。この状態で撮影者が自分に合っている視度指標を視線によって選択すると、不図示の駆動手段により接眼レンズが光軸方向に移動すると同時に、遮光部材４６が図１６の矢印で示した方向に移動して、各視度指標が見えない状態になる。上記一連の動作で視度補正が完了する。
【００５２】
本実施形態では、光学部材と一体的に視度指標を設けている為、視度補正動作を行う前と視度補正動作を行った後とでは、各視度指標の見え方が変わってしまう。そこで、本実施形態では、接眼レンズ４１を移動させる視度補正動作と連動して、視度指標を隠すように遮光部材４６の移動をさせて、不要な指標が表示させている。また、この接眼レンズ４１の移動に伴う各視度指標の視度の変化を補正する光学系を挿入する。または、表示部のみの前面に配置された不図示のレンズを移動して視度の変化を吸収するような構成をとっても良い。
【００５３】
また、撮影者が視度指標を見て視度補正を行う際には、接眼レンズ４１は必ず初期位置に一度戻して視度補正動作を行う必要がある。すなわち、視度補正モードに入る場合、本実施形態では必ず一度接眼レンズ４１を初期位置である正視の焦点位置に移動させて、視度を測定しなければならない。
【００５４】
また、上記第３の実施形態では、視度の異なる指標を構成する為、プリズム上に凸凹を設けたが必ずしもこの構成に限定されない。
【００５５】
すなわち、本来接眼レンズには球面収差があり、本実施形態のように、ファインダー光軸中心から離れた位置では球面収差が大きくなる。そこで、この収差を積極的に利用して、所定の視度が得られる位置に指標を形成することによりプリズム面に特殊な凸凹を形成しなくても本発明で必要とされる視度の異なる指標を構成することができる。
【００５６】
また、図２０に示すように、視度の異なる指標を表示させるために、プリズムの指標形成面４２ｂの傾きを、本来のプリズムの傾きと変えることによって形成しても良い。この方法は、本実施形態の視標構成に比べ、プリズムの上部または下部の一部のみの形状を変形させれば良く、成形が容易であり、視標形成も別部材のマスクを指標形成面４２ｂに配置するだけで良い為、簡単に実現することができる。
【００５７】
このように本実施形態は、焦点面近傍の光学部材を利用して、異なった視度の指標が形成できる。
【００５８】
図１７は、本発明の第４の実施形態である視度補正装置を備えたカメラのファインダー平面図である。構成としては、ほぼ第２の実施形態同様だが、第２の実施形態では視度指標の表示位置がファインダー視野外であるのに対し、本実施形態ではファインダー視野内に表示される。
【００５９】
図１７において、５１はファインダー光学系の焦点面に配置した液晶表示素子であり、５２は焦点距離可変の接眼レンズである。他は第２の実施形態と同様であり、同一符号をつけ説明を省略する。
【００６０】
図１８は本実施形態のカメラのファインダー表示例を示したものである。
【００６１】
図１８において、５３はファインダー視野枠であり、５４〜５６は視度指標である。同指標は視力の測定用に多用されるランドルト環を用いている。
【００６２】
同図において、視度補正の動作を説明する。
【００６３】
まず、カメラ本体外部に設けた不図示の操作部材を視度補正の位置に設定することにより、ファインダー焦点面上に配置された液晶表示素子５１により、ファインダー視野枠のほぼ中央付近に３つの視度指標５４〜５６が表示される。この３つの指標は、従来からよく知られる視力測定用のランドルト環境であり、５４は視力０．１、５５は視力０．６、５６は視力１．２に対応している。すなわち、５４は近視の人の指標、５５は軽い近視の人の指標、５６は正視の人の指標である。
【００６４】
撮影者がファインダーを覗き、この３つの指標のうちできるだけ小さい指標ではっきり見える指標を注視する。このとき撮影者の視線を検出し、検出した視線位置に対応する指標を点滅表示する。さらにこの状態でウインクすることによって点滅表示している指標が選択される。指標が選択されると、指標の意味する視力の撮影者にとって適した視度になるように、同時に不図示の駆動手段により、接眼レンズ５２の焦点距離を変化させて、視度補正を行う。
【００６５】
また、接眼レンズの焦点距離変化は、レンズを光軸方向に移動させるだけでなく、弾性を持ったレンズ部材の曲率変更または、封止した液晶の電圧印加による屈折率変更をすることによって実現することができる。
【００６６】
視度補正が終了し、不図示のモード操作部材を視線補正モードの位置から、他のモードに変更することによって、ファインダー視野内に表示された視度指標５４〜５６が消滅する。
【００６７】
また、本実施形態は、正視と近視、及び軽い近視に対応しているが、正視、近視、遠視の組み合わせであってもかまわない。
【００６８】
また、視度指標の選択を視線によって行っているが、この選択した指標を決定する方法はウインクによらず、操作部材を操作して決定してもよいし、第２の実施形態と同様に点滅する指標をさらに注視し、一定時間経過したことを検知して指標を決定するようにしても良い。
【００６９】
図１９は本発明の第５の実施形態である視度補正装置を備えたカメラのファインダー平面図である。構成としては、第４の実施形態とほぼ同様、第４の実施形態では液晶表示素子の面上で視度指標を形成したのに対して、本実施形態は、視度指標の形成位置がファインダー光学系の焦点位置に配置した液晶表示素子のガラス面上に形成されている。
【００７０】
同図において６１は、液晶面がファインダー光学系の焦点位置に配置された液晶表示素子である。液晶表示素子６１には、上述の第２の実施形態と同様複数の視度指標が設けられている。すなわち、６２は視野枠周辺部接眼レンズ側の液晶のガラス面に設けられた近視の人用の視度指標、同６３はファインダー光学系の焦点位置である液晶面に液晶で表示可能とした正視の人の視度指標、６４は対物レンズ側の液晶のガラス面に設けた遠視の人用の視度指標である。尚、各表示対応部は、不図示の遮光部材により、指標不要時は表示されないようになっている。また、この遮光部材を用いず、各指標対応部に液晶によるマスクを形成し、不要時は、光の透過を規制するように構成することもできる。
【００７１】
【発明の効果】
以上説明したように、請求項１に記載した視度補正装置は、簡単な構成で自覚的検査を行えるうえに、使用者は最も良く見える視度指標を選択するだけで視度調節を行うことができる。また、前記視度補正レンズと前記指標ユニットとを移動させるので、視度調整後も指標によって調整具合を確認することができる。
【００７３】
また、請求項４に記載した視度補正装置によれば、使用者は最も良く見える視度指標に視線を合わせるだけで視度調節を行うことができる。つまり、最も良く見える視度指標を見るだけで、その使用者にあった視度調節を行うことができる。したがって、使用者は何ら特別な操作をすることなく、使用者に適合する視度調節を実行できる。また、前記視度補正レンズと前記指標ユニットとを移動させるので、視度調整後も指標によって調整具合を確認することができる。
【図面の簡単な説明】
【図１】本発明の第１の実施形態である視度補正手段を有するカメラを背面から見た斜視図。
【図２】図１のカメラのファインダー光学系を説明する斜視図。
【図３】図１のカメラのファインダー光学系を説明する平面図。
【図４】図１のカメラのファインダー光学系を説明する側面図。
【図５】図１のカメラのファインダー表示を説明する図。
【図６】図１のカメラのファインダー表示を説明する図。
【図７】図１のカメラのファインダー表示を説明する図。
【図８】図１のカメラのファインダー表示を説明する図。
【図９】図１のカメラのファインダー表示を説明する図。
【図１０】本発明の第２の実施形態である視度補正手段を有するカメラを背面から見た斜視図。
【図１１】図１０のカメラのファインダー光学系を説明する斜視図。
【図１２】図１０のカメラのファインダー光学系を説明する平面図。
【図１３】図１０のカメラのファインダー光学系を説明する側面図。
【図１４】図１０のカメラのブロック図。
【図１５】図１０のカメラの視度補正動作を説明するフローチャート。
【図１６】本発明の第３の実施形態である視度補正手段を有するカメラのファインダー平面図。
【図１７】本発明の第４の実施形態である視度補正手段を有するカメラのファインダー平面図。
【図１８】図１７のカメラのファインダー表示を説明する図。
【図１９】本発明の第５の実施形態である視度補正手段を有するカメラのファインダー平面図。
【図２０】図１６のカメラの変形例を説明する視度補正手段を有するカメラのファインダー平面図。
【符号の説明】
１  カメラ本体
３  ファインダー接眼部
４  スライド部材
９ａ，９ｂ，９ｃ  指示表示
１２  接眼レンズ
１３ａ，１３ｂ，１３ｃ  視度指標
１４ａ，１４ｂ，１４ｃ  照明素子
２１  カメラ本体
２３  ファインダー接眼部
２４  モード切換ダイヤル
２８  エリアセンサ
３０  撮影者（使用者）の眼球
３１  接眼レンズ
３２  レンズ位置検出回路
３３  モータ制御回路
３４  視線検出回路
３６  視度指標表示回路
３７  指示表示回路
３８  ＣＰＵ
４１  接眼レンズ
４２  ダハプリズム
４５  マスク
４６  遮光部材
【図１】
0003799095.tif 000002
【図２】
0003799095.tif 000003
【図３】
0003799095.tif 000004
【図４】
0003799095.tif 000005
【図５】
0003799095.tif 000006
【図６】
0003799095.tif 000007
【図７】
0003799095.tif 000008
【図８】
0003799095.tif 000009
【図９】
0003799095.tif 000010
【図１０】
0003799095.tif 000011
【図１１】
0003799095.tif 000012
【図１２】
0003799095.tif 000013
【図１３】
0003799095.tif 000014
【図１４】
0003799095.tif 000015
【図１５】
0003799095.tif 000016
【図１６】
0003799095.tif 000017
【図１７】
0003799095.tif 000018
【図１８】
0003799095.tif 000019
【図１９】
0003799095.tif 000020
【図２０】
0003799095.tif 000021